(57)【要約】【課題】前記超音波プローブが超音波画像表示装置の本体と通電していない状態であっても、前記超音波プローブに加わった衝撃を電気的に検出することができ、これを記憶させることができる超音波プローブを提供する。【解決手段】超音波プローブ１に加わる衝撃を電気的に検出する加速度センサ３と、この加速度センサ３による加速度の検出に必要な電力を供給する二次電池８と、前記加速度センサ３によって検出された加速度や、加速度が所定の閾値を超えたことなどを記憶するメモリ７と、を備えることを特徴とする。メモリに記憶された情報は、本体インターフェイス６から前記超音波画像表示装置本体１００ａへ出力される。【選択図】図１
2013244021.tif 000002
【特許請求の範囲】
【請求項１】
超音波プローブに加わる衝撃を電気的に検出する衝撃検出部と、
該衝撃検出部による衝撃の検出に必要な電力を供給する電源部と、
前記衝撃検出部によって検出された衝撃の情報を記憶する記憶部と、
を備えることを特徴とする超音波プローブ。
【請求項２】
前記記憶部に記憶された衝撃の情報を、前記超音波プローブが接続された超音波画像表示装置本体へ出力する情報出力部を備えることを特徴とする請求項１に記載の超音波プローブ。
【請求項３】
前記電源は、二次電池であることを特徴とする請求項１又は２に記載の超音波プローブ。
【請求項４】
前記二次電池は、前記超音波プローブが接続された超音波画像表示装置本体から供給される電力により充電されることを特徴とする請求項３に記載の超音波プローブ。
【請求項５】
前記二次電池を充電するための発電部を備えることを特徴とする請求項３又は４に記載の超音波プローブ。
【請求項６】
前記衝撃検出部は加速度センサであることを特徴とする請求項１〜５のいずれか一項に記載の超音波プローブ。
【請求項７】
前記加速度センサによって所定の閾値を超える加速度が検出された場合に、前記記憶部に衝撃の情報が記憶されることを特徴とする請求項６に記載の超音波プローブ。
【請求項８】
前記衝撃検出部により衝撃が検出された場合に報知を行なう報知部を備えることを特徴とする請求項１〜７のいずれか一項に記載の超音波プローブ。
【請求項９】
請求項１〜８のいずれか一項に記載の超音波プローブを有することを特徴とする超音波画像表示装置。
【発明の詳細な説明】
【技術分野】
【０００１】
本発明は、被検体に対して超音波を送信する超音波プローブ及び超音波画像を表示する超音波画像表示装置に関する。
【背景技術】
【０００２】
超音波画像表示装置は、被検体に対して送信された超音波のエコー信号に基づく超音波画像を表示する。このような超音波画像表示装置は、装置本体とプローブケーブルを介して接続された超音波プローブによって超音波の送受信を行なっている（例えば、特許文献１参照）。
【先行技術文献】
【特許文献】
【０００３】
【特許文献１】特開２０１１−１０６６４号公報
【発明の概要】
【発明が解決しようとする課題】
【０００４】
前記超音波プローブは、内部構造が複雑であり、落としたり強い衝撃を加えたりすると故障が発生する場合がある。しかし、前記超音波プローブが装置本体と接続されていないために装置本体から前記超音波プローブへの通電を行なうことができなかったり、前記超音波プローブが接続されていても装置本体との間で通電状態になかったりする場合、衝撃を電気的に記憶させることができない。
【課題を解決するための手段】
【０００５】
上述の課題を解決するためになされた発明は、超音波プローブに加わる衝撃を電気的に検出する衝撃検出部と、この衝撃検出部による衝撃の検出に必要な電力を供給する電源部と、前記衝撃検出部によって検出された衝撃の情報を記憶する記憶部と、を備えることを特徴とする超音波プローブである。
【発明の効果】
【０００６】
上記観点の発明によれば、前記衝撃検出部と前記電源部と前記記憶部とを備えているので、前記超音波プローブが超音波画像表示装置の本体と通電していない状態であっても、前記超音波プローブに加わった衝撃を電気的に検出することができ、これを記憶させることができる。
【図面の簡単な説明】
【０００７】
【図１】本発明の第一実施形態の超音波画像表示装置を示すブロック図である。
【図２】本発明の第二実施形態の超音波画像表示装置を示すブロック図である。
【発明を実施するための形態】
【０００８】
以下、本発明の実施形態について説明する。
（第一実施形態）
先ず、第一実施形態について、図１に基づいて説明する。図１に示すように、本例の超音波画像表示装置１００は、例えば患者のＢモード画像等の超音波画像を表示する超音波診断装置や対象の非破壊検査に用いる超音波探傷装置などである。ただし、超音波画像表示装置本体とは別体の超音波プローブを備えた装置であればこれらに限られるものではない。
【０００９】
前記超音波画像表示装置１００は、超音波画像表示装置本体１００ａ及び超音波プローブ１を有している。この超音波プローブ１は、プローブケーブル１０１を介して超音波画像表示装置本体１００ａと接続されている。
【００１０】
前記超音波画像表示装置本体１００ａにおいては、超音波プローブ１によって得られた超音波のエコー信号に基づいて超音波画像が作成され表示される。
【００１１】
前記超音波プローブ１は、超音波振動子２を備えている。この超音波振動子２は、ＰＺＴ（チタン酸ジルコン酸鉛）などの圧電材で形成されている。前記超音波振動子２に対し、超音波の送信を行なうための電気信号が前記超音波画像表示装置本体１００ａから供給される。また、超音波振動子２によって対象に送信されて反射した超音波は、前記超音波振動子２で電気信号に変換されて前記超音波画像表示装置本体１００ａへ入力される。
【００１２】
また、前記超音波プローブ１は、加速度センサ（ｓｅｎｓｏｒ）３、加速度センサインターフェイス（ｉｎｔｅｒｆａｃｅ）４、ＣＰＵ（Ｃｅｎｔｒａｌ  Ｐｒｏｃｅｓｓｉｎｇ  Ｕｎｉｔ）５、本体インターフェイス６、メモリ（ｍｅｍｏｒｙ）７を備えている。前記加速度センサ３により、前記超音波プローブ１に加わる加速度が電気的に検出される。これにより、前記超音波プローブ１に対する衝撃が検出される。前記加速度センサ３は、本発明における衝撃検出部の実施の形態の一例である。
【００１３】
前記ＣＰＵ５は、前記加速度センサインターフェイス４を介して前記加速度センサ３と通信する。また、前記ＣＰＵ５は、前記本体インターフェイス６を介して前記超音波画像表示装置本体１００ａと通信する。前記本体インターフェイス６は、本発明における情報出力部の実施の形態の一例である。
【００１４】
前記メモリ７は、半導体メモリであり、不揮発性メモリであることが望ましい。このメモリ７には、前記加速度センサ３で検出された加速度が、前記ＣＰＵ５によって記憶される。また、前記メモリ７に記憶された加速度は、前記ＣＰＵ５によって読み出され、前記本体インターフェイス６によって前記超音波画像表示装置本体１００ａへ出力される。前記メモリ７は、本発明における記憶部の実施の形態の一例である。また、加速度は本発明における衝撃の情報の実施の形態の一例である。
【００１５】
また、前記超音波プローブ１には、二次電池８及び二次電池充放電制御部９が設けられている。二次電池充放電制御部９は、前記二次電池８の充放電を制御する。前記二次電池８からは、二次電池充放電制御部９によって、前記加速度センサ３、前記加速度センサインターフェイス４、前記ＣＰＵ５及び前記本体インターフェイス６へ電力が供給される。前記二次電池８は、本発明における電源部の実施の形態の一例である。
【００１６】
本例では、前記超音波プローブ１が前記超音波画像表示装置本体１００ａと接続されている状態において、前記二次電池８は、前記超音波画像表示装置本体１００ａから供給される電力によって充電される。
【００１７】
さらに、前記超音波プローブ１は、発光部１０を備えている。この発光部１０は、例えばＬＥＤ（Ｌｉｇｈｔ  Ｅｍｉｔｔｉｎｇ  Ｄｉｏｄｅ）などである。前記発光部１０は、前記加速度センサ３で検出された加速度が所定の閾値ＴＨを超えた場合に発光する。前記発光部１０の発光は、前記ＣＰＵ５によって制御される。前記発光部１０は、本発明における報知部の実施の形態の一例である。
【００１８】
さて、本例における前記超音波プローブ１に加わる衝撃を検出する動作について説明する。以下、前記超音波プローブ１が前記超音波画像表示装置本体１００ａと接続されていないためにこの超音波画像表示装置本体１００ａから前記超音波プローブ１への通電を行なうことができなかったり、前記超音波プローブ１が接続されていても前記超音波画像表示装置本体１００ａとの間で通電状態になかったりする場合における衝撃の検出について説明する。
【００１９】
前記超音波プローブ１に加わる衝撃は、加速度センサ３によって加速度を検出することにより検出される。加速度センサ３による加速度の検出に必要な電力は、前記二次電池８から供給される。
【００２０】
前記ＣＰＵ５は、前記加速度センサインターフェイス４を介して前記加速度センサ３と通信する。そして、前記加速度センサ３によって検出される加速度が前記閾値ＴＨを超えた場合に、その加速度を衝撃の情報として前記メモリ７に記憶する。ただし、衝撃の情報として前記加速度センサ３によって検出される加速度が前記閾値ＴＨを超えたことを示す情報が記憶されてもよい。
【００２１】
前記閾値ＴＨは、例えば前記超音波プローブ１の内部構造物が故障するおそれがあり、前記超音波プローブ１に対して故障診断を行なった方がよいと思われる値に設定される。
【００２２】
前記超音波プローブ１が前記超音波画像表示装置本体１００ａと前記プローブケーブル１０１によって接続されている状態において、前記メモリ７に記憶された加速度は、前記ＣＰＵ５によって読み出される。そして、読み出された加速度は、前記本体インターフェイス６から前記プローブケーブル１０１を介して前記超音波画像表示装置本体１００ａへ入力される。
【００２３】
前記超音波画像表示装置本体１００ａへ入力された加速度は、この超音波画像表示装置本体１００ａの表示部（図示省略）に表示されてもよい。また、前記閾値ＴＨを超える加速度が検出された旨のメッセージ（ｍｅｓｓａｇｅ）が前記超音波画像表示装置本体１００ａの表示部に表示されてもよい。これらの表示がされるようにすることにより、前記超音波プローブ１の故障診断などに役立てることができる。
【００２４】
前記閾値ＴＨを超える加速度が検出された場合、前記ＣＰＵ５は、前記発光部１０を発光させる。ＣＰＵ５は、前記発光部１０を点滅状態で発光させてもよい。これにより、操作者等は前記閾値ＴＨを超える加速度が検出され、前記超音波プローブ１に一定以上の衝撃が加わったことを知ることができる。
【００２５】
以上説明した本例によれば、前記超音波プローブ１が前記超音波画像表示装置本体１００ａと通電していない状態であっても、前記二次電池８から前記加速度センサ３に電力を供給して加速度を検出することができ、前記閾値ＴＨを超える加速度などの衝撃の情報を前記メモリ７に記憶しておくことができる。
【００２６】
（第二実施形態）
次に、第二実施形態について説明する。以下、第一実施形態と同一の構成については同一の符号を付して詳細な説明を省略する。
【００２７】
本例では、図２に示すように、前記超音波プローブ１′は、発電部２０を備えている。この発電部２０は、例えば太陽電池や振動を電気に変換できる発電機などである。前記発電部２０の発電電力は、前記二次電池充放電制御部９を介して前記二次電池８に充電される。従って、本例では、前記超音波画像表示装置本体１００ａのほか、前記発電部２０によっても前記二次電池８を充電することができる。従って、前記超音波プローブ１が前記超音波画像表示装置本体１００ａと接続されていない状態でも、前記発電部２０によって前記二次電池８を充電することができる。その他、本例によっても、第一実施形態と同一の効果を得ることができる。
【００２８】
以上、本発明を前記実施形態によって説明したが、本発明はその主旨を変更しない範囲で種々変更実施可能なことはもちろんである。例えば、前記超音波プローブ１に加わる衝撃を電気的に検出するための衝撃検出部は前記加速度センサ３に限られるものではない。例えば、衝撃検出部は、衝撃によって機械的に電気回路を閉じて電流を流すスイッチであってもよい。この場合、前記超音波プローブ１に所定の大きさを超える衝撃が加わった場合に、スイッチがオンして電流が流れるようにし、電流が流れたことを衝撃の情報として前記メモリ７に記憶するようにしてもよい。
【００２９】
また、前記加速度センサ３等に電力を供給するための電源部は、前記二次電池８に限られるものではなく、例えば一次電池であってもよい。
【符号の説明】
【００３０】
１、１′  超音波プローブ
３  加速度センサ（衝撃検出部）
６  本体インターフェイス（情報出力部）
７  メモリ（記憶部）
８  二次電池（電源部）
１０  発光部（報知部）
２０  発電部
【図１】
2013244021.tif 000003
【図２】
2013244021.tif 000004